(57)【特許請求の範囲】
【請求項１】
底部の左右両側に側面マチ部を設け、該両側面マチ部の背面側に背部を取り付け、該両側面マチ部の前面側に前仕切り部を取り付けてなるランドセル本体を備えたランドセルにおいて、
該ランドセル本体の内側に、本やノート等の収納物を前記背部との間で締め付けて保持する収納物締付ベルトが配設され、該収納物締付ベルトの少なくとも一方の端部が、前記側面マチ部の前記背部寄りに設けたスリット孔を挿通して外側に引き出され、該側面マチ部の外側で移動可能に固定されたことを特徴とするランドセル。
【請求項２】
前記側面マチ部から前記前仕切り部にかけて調節ベルトが略水平に装着され、該調節ベルトの端部が該側面マチ部の外側に固定されてなる水平固定部上に、前記収納物締付ベルトの端部が長さ調節止め具を介して移動可能に固定されたことを特徴とする請求項１記載のランドセル。
【発明の詳細な説明】
【０００１】
【発明の属する技術分野】
本発明は、ランドセル本体内に本やノート等の収納物を保持する保持ベルトを設けたランドセルに関する。
【０００２】
【従来の技術】
ランドセルの本体は、一般に所定の容積を持った箱状に形成され、本やノート等の収納物がその本体内に入れられ、背中に背負って運ばれる。ランドセルに入れられる本やノート等の収納物の体積は、本体内の容積に比べ少なく、通常、ランドセル本体内は、隙間や空間の多い状態で使用される。
【０００３】
【発明が解決しようとする課題】
このために、子供が本やノート等の収納物をランドセル本体内に入れ、そのランドセルを背負って、通学路を歩いたり走ったりして使用した場合、ランドセル本体内の本やノート等の収納物が、本体内で容易に動きまたは飛びはね、ランドセルが激しく揺すられた場合には、本やノート等の収納物が衝突しあって傷つく場合があり、また、ランドセル本体内の収納物が内部で動き過ぎると、ランドセルを運びにくいという問題があった。
【０００４】
本発明は、上記の点に鑑みてなされたもので、ランドセル本体内に入れた本やノート等の収納物が少ない場合でも、容易に動いたり飛びはねたりせずに、良好に運ぶことができるランドセルを提供することを目的とする。
【０００５】
【課題を解決するための手段】
上記目的を達成するために、本発明の請求項１のランドセルは、底部の左右両側に側面マチ部を設け、両側面マチ部の背面側に背部を取り付け、両側面マチ部の前面側に前仕切り部を取り付けてなるランドセル本体を備えたランドセルにおいて、ランドセル本体の内側に、本やノート等の収納物を前記背部との間で締め付けて保持する収納物締付ベルトが配設され、その収納物締付ベルトの少なくとも一方の端部が、側面マチ部の背部寄りに設けたスリット孔を挿通して外側に引き出され、側面マチ部の外側で移動可能に固定されたことを特徴とする。
【０００７】
さらに、請求項２のランドセルは、上記のものにおいて、側面マチ部から前仕切り部にかけて調節ベルトが略水平に装着され、調節ベルトの端部が側面マチ部の外側に固定されてなる水平固定部上に、前記収納物締付ベルトの端部が長さ調節止め具を介して移動可能に固定されたことを特徴とする。
【０００８】
【作用】
上記構成のランドセルでは、ランドセル本体内に本やノート等の収納物を入れる場合、背部と収納物締付ベルトの間に収納物を収納し、収納物締付ベルトを締め付けて、収納物をランドセル本体内の背部側に締付・保持する。このようにすることにより、ランドセル本体内の本やノート等の収納物は、収納物締付ベルトにより、背部側に締付・保持された状態となり、子供がそのランドセルを背負って、通学路を走ったり飛びはねたりしても、ランドセル本体内の本やノートは、背部側に保持されて、衝突しあうことがなく、収納物を傷付けずに良好に運ぶことができる。また、収納物がランドセルの背部側に保持されることから、ランドセルを背負う使用者には、収納物の重さをより軽く感じることができる。
【０００９】
また、収納物締付ベルトの締付操作は、側面マチ部の外側で簡単に行なうことができ、特に、収納物締付ベルトの先端に取り付けた長さ調節止め具を、側面マチ部上の調節ベルトの水平固定部に移動可能に固定する構造とすれば、締付操作が容易になると共に、デザイン的にみても、調節ベルトと収納物締付ベルトが一体的に見られ、すっきりした外観を呈し、側面マチ部の良好なデザイン性を阻害することがない。
【００１０】
【発明の実施の形態】
以下、本発明の実施の形態を図面に基づいて説明する。図１はランドセルの左側面図を示し、図２はその平面図を示している。このランドセルのランドセル本体１は、底部２の左右両側に側面マチ部３、３を設け、側面マチ部３、３の背面側に背部４を取り付け、さらに側面マチ部３、３の前面側に前仕切り部５を取り付けて、上部を開口した箱形に形成される。また、背部４の上端に蓋体６が縫着され、前仕切り部５の前側に前ポケット部７が縫着される。
【００１１】
左右の側面マチ部３、３、前仕切り部５、及び底部２は、皮革、合成皮革等からなる表部材に、合成紙等からなる裏部材を貼り合わせて形成され、左右の側面マチ部３、３は底部２の左右に連続して一体形成される。また、側面マチ部３、３及び底部２前縁部に前仕切り部５が縫着され、側面マチ部３、３及び底部２の後縁部に背部４が縫着される。
【００１２】
さらに、図４の斜視図に示すように、前仕切り部５の上部から左右の側面マチ部３、３にかけて、調節ベルト８が水平に取り付けられる。この調節ベルト８は、前仕切り部５内の厚さを調節するために、その両端部が側面マチ部３、３の上部に固定ピン９と先端の縫着部８ａにより固定され、前側に設けたバックル１０で長さを調節し前仕切り部５の内部の厚さを調節する構造である。つまり、２本の調節ベルト８の末端部が縫着部８ａと固定ピン９により、両側の側面マチ部３、３の上部に水平に固定され、両調節ベルト８の先端部が前仕切り部５の前面で、バックル１０により締付可能に連結される。
【００１３】
図３の拡大断面図に示すように、調節ベルト８におけるその両側の縫着部８ａと固定ピン９間の水平固定部８ｂ、８ｂには、バックル型の長さ調節止め具１２、１２を介して収納物締付ベルト１１の両端が連結される。また、左右の側面マチ部３、３における縫着部８ａの背面側に、スリット孔３ａ、３ａが設けられ、この両側のスリット孔３ａ、３ａに収納物締付ベルト１１が挿通され、その中間部がランドセル本体１内に通される。つまり、収納物締付ベルト１１の両端は、スリット孔３ａ、３ａを通って側面マチ部３、３の外側に出され、その両端部にバックル型の長さ調節止め具１２、１２が取り付けられる。長さ調節止め具１２、１２はその内側に上記調節ベルト８の水平固定部８ｂを挿通させる形態で、調節ベルト８上に移動可能で且つ固定可能に装着される。
【００１４】
長さ調節止め具１２は、ベース金具の上にレバー１２ａを回動可能に枢支し、回動操作に応じてレバー１２ａの元部で、内側を通る調節ベルト８をベース金具に押しつけ、その位置で長さ調節止め具１２を調節ベルトの水平固定部１２ｂ上に固定する構造である。収納物締付ベルト１１の両端はこのベース金具に取り付けた軸１２ｂ、１２ｂに固定される。従って、ランドセル本体１内に挿入された収納物締付ベルト１１は、その両端の長さ調節止め具１２、１２の止める位置を、調節ベルト８の水平固定部８ｂ上で動かすことにより、ランドセル本体１内での長さが調節される。
【００１５】
なお、図２に示すように、収納物締付ベルト１１の中央に、簡易型の長さ調節具１３が設けられる。この長さ調節具１３は、図６のように、一方に複数の孔部を所定の間隔で設けた雌板に対し、複数の突起部を雌板の孔部と同じ間隔で設けた雄板を重ね合わせて嵌着可能に設け、その嵌着位置をずらして長さを調節する構造である。
【００１６】
このように構成されたランドセルは、図５のように、ランドセル本体１内に本やノート等の収納物を入れる場合、それらを収納物締付ベルト１１と背部４との間に入れる。そして、側面マチ部３、３の外側に引き出された収納物締付ベルト１１の両端の長さ調節止め具１２、１２を、調節ベルト８の水平固定部８ｂに沿って前方に引き出し端まで引き、バックル型の長さ調節止め具１２、１２のレバー１２ａ、１２ａを倒せば、収納物締付ベルト１１は締まった状態で、両端が調節ベルト８の水平固定部８ｂ上に固定され、ランドセル本体１内の本やノート等の収納物がこのベルト１１により背部４側に締付られた状態となる。
【００１７】
従って、ランドセル本体１内に入れた本やノート等の収納物は、収納物締付ベルト１１により、背部４側に締付・保持された状態となり、子供がそのランドセルを背負って、通学路を走ったり飛びはねたりしても、ランドセル本体１内の本やノートは、背部４側に保持されて、衝突しあうことがなく、収納物を傷付けずに良好に運ぶことができる。また、収納物がランドセルの背部側に保持されることから、ランドセルを背負う使用者には、収納物の重さをより軽く感じることができる。
【００１８】
さらに、収納物締付ベルト１１の両先端に取り付けた長さ調節止め具１２、１２が、側面マチ部３、３上の調節ベルト８の水平固定部８ｂ，８ｂに移動可能に固定されるから、締付操作が容易になると共に、デザイン的にみても、調節ベルト８と収納物締付ベルト１１が一体的に見られ、側面マチ部３、３のすっきりしたデザイン性を阻害することがない。
【００１９】
図７は収納物締付ベルト１１の先端に取り付けられる長さ調節止め具の他の実施例を示している。この長さ調節止め具１４は、調節ベルト８の水平固定部８ｂ上に縫着される固定部１４ａと収納物締付ベルト１１の先端に連結される嵌合部１４ｂとから構成され、上記の長さ調節止め具１２に代えてそのまま使用することができる。固定部１４ａには複数の突起が長手方向に２列で所定の間隔で設けられ、嵌合部１４ｂには、それらの突起と係合する係合片１４ｃが弾性揺動可能に両側に設けられ、これらの係合片１４ｃが２列の突起に係合して、その位置が調節可能に固定される。
【００２０】
この長さ調節止め具１４は、その嵌合部１４ｂを調節ベルト８の水平固定部８ｂ上に沿って（係合片１４ｃを内側に倒しながら）動かし、その係合片１４ｃをフリーにして元の位置に復帰させれば、固定部１４ａの突起に係止された状態となって、その位置が固定される。従って、上記の長さ調節止め具１２と同様に、簡単な操作で収納物締付ベルト１１の長さを調節することができる。
【００２１】
なお、上記実施例では、収納物締付ベルト１１の両側の端部を側面マチ部側に引き出し、長さ調節止め具１２または１４を介してその端部を移動可能に固定したが、収納物締付ベルト１１の何れか一方の端部にのみ長さ調節止め具を取り付け、他方の端部はランドセル本体１内或はその外側に固定するようにしてもよい。
【００２２】
【発明の効果】
以上説明したように、本発明のランドセルによれば、ランドセル本体内の本やノート等の収納物は、収納物締付ベルトにより、背部側に締付・保持された状態となり、子供がそのランドセルを背負って、通学路を走ったり飛びはねたりしても、ランドセル本体内の本やノートは、背部側に保持されて、衝突しあうことがなく、収納物を傷付けずに良好に運ぶことができる。また、収納物がランドセルの背部側に保持されることから、ランドセルを背負う使用者には、収納物の重さをより軽く感じることができる。
【図面の簡単な説明】
【図１】本発明の一実施形態を示すランドセルの左側面図である。
【図２】同ランドセルの平面図である。
【図３】図１のＩＩＩ−ＩＩＩ  拡大断面図である。
【図４】同ランドセルの斜視図である。
【図５】収納物を入れた状態の平面図である。
【図６】長さ調節具１３の正面図である。
【図７】他の実施例の長さ調節止め具１４の正面図である。
【符号の説明】
１−ランドセル本体
２−底部
３−側面マチ部
３ａ−スリット孔
４−背部
５−前仕切り部
８−調節ベルト
８ｂ−水平固定部
１１−収納部締付ベルト
１２−長さ調節止め具
【図１】
0003595248.tif 000002
【図２】
0003595248.tif 000003
【図３】
0003595248.tif 000004
【図４】
0003595248.tif 000005
【図５】
0003595248.tif 000006
【図６】
0003595248.tif 000007
【図７】
0003595248.tif 000008